(57)【要約】【課題】取り扱いが容易で、且つ、花材の配置の自由度が高い花材挿器および花材挿器セットの提供。【解決手段】長手方向を略鉛直方向に向け、底部が水密に閉塞され、上部に開口部４が形成されたパイプ状の主管３と、主管３の周囲に下端が水密に着設された漏斗状の倒立円錐形外板７と、主管３の外面と倒立円錐形外板７の内面との間の空隙に配設された花材ホルダー８とを具備する花材挿器２を、上下二段に重ねて組み合わせ、主花材挿器３１の底部に基軸棒１０を螺着する。【選択図】図１
0003126449.tif 000002
【実用新案登録請求の範囲】
【請求項１】
長手方向を略鉛直方向に向けた、底部が封じられたパイプ状を呈する主管と、
該主管の軸と同心で前記主管の周囲に形成され、漏斗状の形状を呈する倒立円錐形外板と、
前記主管と前記倒立円錐形外板との空隙に配設され、前記空隙に挿入された花材を支持する花材ホルダーと
を具備することを特徴とする花材挿器。
【請求項２】
前記主管の底部に、下方に延びる棒状を呈する基軸棒を具備することを特徴とする請求項１に記載の花材挿器。
【請求項３】
長手方向を略鉛直方向に向けた、底部が封じられたパイプ状を呈する第一主管、
該第一主管の上端部に形成された開口部、
前記第一主管の軸と同心で前記第一主管の周囲に形成され、漏斗状の形状を呈する第一倒立円錐形外板、
前記第一主管と前記第一倒立円錐形外板との空隙に配設され、該空隙に挿入された花材を支持することが可能な第一花材ホルダー、
及び、前記第一主管の底部に着設され、下方に延びる棒状を呈する基軸棒を具備する主花材挿器と、
長手方向を略鉛直方向に向けた、底部が封じられたパイプ状を呈する第二主管、
該第二主管の軸と同心で前記第二主管の周囲に形成され、漏斗状の形状を呈する第二倒立円錐形外板、
前記第二主管と前記第二倒立円錐形外板との空隙に配設され、該空隙に挿入された花材を支持することが可能な第二花材ホルダー、
及び、前記主花材挿器の前記開口部に嵌合する形状で前記第二主管の下端部に形成された嵌入部を備える副花材挿器と
を具備することを特徴とする花材挿器セット。
【請求項４】
前記主花材挿器における前記基軸棒は、前記第一主管の底部に着脱可能に螺合され、
前記主花材挿器から前記基軸棒を取外した形状と、前記副花材挿器の形状とが互いに同一であることを特徴とする請求項３に記載の花材挿器セット。
【考案の詳細な説明】
【技術分野】
【０００１】
本考案は、花瓶等に花材を立てる時に使用する花材挿器に関するものである。
【背景技術】
【０００２】
従来、生花においては、中央に配した主な花材の周囲に複数の花材が配される様態をとる場合、Ｖ字形またはＹ字形に木の枝を二股に割り開いた「割り木密」を用いて花器の口部にて花材を支持する方法や、剣山を用いて花材の下部で花材を支持する方法が行われてきた。しかし、最近では木密の材料に適した木材の入手が困難であったり、花材が太い場合や花器が大型である場合には木密を用いる方法では作品が安定性を欠くという問題があった。剣山を用いる方法でも、花材が大きい場合には転倒したり立花の構成に歪みが生じたりする問題があった。
【０００３】
さらに、木密や剣山を利用する方法においては、花器の内部に水を貯める必要があり、花器が大型になると重量が嵩むため、完成した生花作品を移動することが困難であった。また、花器の内部に直接水を溜めるため、使用後の花器の清掃に手間がかかるという問題があった。
【０００４】
また、花材の鮮度を保つために水の吸い上げを考慮すると花材の茎は短い方が良いが、豪華な生花を構成するためには使用する花材が大形になりがちであり、十分に水を吸わせることが難しく、花持ちが悪いという問題もあった。また、大形の花材は、より小形の花材と比較して入手も難しくなるため、小形の花材の組み合わせでも豪華な生花を構成できるようにする補助材が求められていた。
【０００５】
こうした問題に対する解決案として、図７に示す幹足付受筒２０が挙げられる。この幹足付受筒２０は、花器Ｖの中に幹足付受筒用のスタンド等の支持具を設置して、そこに幹足２１を挿入するなどし、立設する。あるいは、花器Ｖの内部に砂利等を詰め、そこに幹足２１を挿入して立設する。幹足２１の上部には主受筒２２が着設されており、幹足２１の周囲には腕状部材２３が装着される。そして、腕状部材２３の先に受筒２４が取り付けられている。各々の受筒２４の内部には剣山２５が備えられており、受筒２４に挿入された花材を固定できるようになっている。この幹足付受筒２０によれば、主受筒２２及び受筒２４を花器Ｖの口より高所に取り付けて、そこに花材を挿すことができるため、より小形の花材を使用して姿形の大きな生花を構成することができる。また、各々の受筒２４を取り付ける高さや方向を任意に設定できるため、生花の姿形や使用する花材に応じて受筒２４の位置や数などの構成を対応させることが可能である。さらに、主受筒２２及び受筒２４の中に水を溜められるので、大形の花材を花器に直接挿した場合より花持ちがよいという利点もある。花器Ｖの内部に水を溜める必要がないので、特許文献１に開示されている支持具等を利用すれば生花作品が比較的軽量となり移動が容易になる。さらには、花器Ｖに水を入れないために使用後の花器Ｖの清掃も容易となるなど、幹足付受筒２０には多くの利点が挙げられる。
【０００６】
【特許文献１】特開２００５−１９８８９２号公報
【考案の開示】
【考案が解決しようとする課題】
【０００７】
しかし、この幹足付受筒２４は構成部品点数が多く、幹足２１、複数の受筒２４、各受筒２４内に備えられる剣山２５等の構成部品に分かれており、生花の姿形に適合した形状に組立てるには手間を要するという問題があった。また、個々の受筒２４に給水する必要があり、煩雑であることに加えて、個々の受筒２４が幹足２１の脇に出た形状であるため、給水時に水を溢れさせると、受筒２４の外面を伝わった水が受筒２４の直下に滴下し、花器Ｖの外の床等に水がこぼれてしまう虞があった。
【０００８】
一方、生花の美観のためには、受筒２４のような補助材は花材の陰にして、正面からは見えないように隠蔽したいという要望がある。しかし、従来の受筒付幹足２０は円筒形の受筒２４が幹足２１の脇に付く構成であるため、受筒２４が突出してしまい、隠蔽が困難であるという問題があった。また、受筒２４に挿入した花材は、幹足２１から若干離れた位置関係となるため、中心の花材から自然に枝分かれする様子を表現することが困難であるという問題もあった。
【０００９】
そこで、本考案は、準備が容易で、床等に水をこぼす虞が少ないため取り扱いが容易であり、且つ、花材の配置の自由度が高く、中心となる花材の周囲に自然な位置関係と形状で枝分かれするように花材を配置できる花材挿器の提供を課題とするものである。
【課題を解決するための手段】
【００１０】
本考案にかかる花材挿器は、「長手方向を略鉛直方向に向けた、底部が封じられたパイプ状を呈する主管と、
該主管の軸と同心で前記主管の周囲に形成され、漏斗状の形状を呈する倒立円錐形外板と、
前記主管と前記倒立円錐形外板との空隙に配設され、前記空隙に挿入された花材を支持する花材ホルダーと
を具備する」ものである。
【００１１】
ここで、「花材」とは、樹木や草花等の植物の枝一般が該当する。すなわち、特に花が付いている枝に限定せず、広く生花に用いられる植物由来の材料を意味する。
【００１２】
本考案によれば、花材挿器を花器に設置して、主管及び花材ホルダーの適当な箇所に花材を適宜配置するだけで生花作品を作ることができ、多数の部品を組み立てたり、部品配置を生花の姿形に合わせて調整したりする手間を省略することが可能である。
【００１３】
また、本考案によれば、花材に水を吸わせるために花材ホルダーに給水する時に、注水量が多過ぎて倒立円錐形外板の中に収まらず、水が溢れた場合にも、倒立円錐形外板は漏斗状の形状をしているので、溢れた水は倒立円錐形外板の外面から主管外面を伝わって流れ落ち、花器の中に溜めることが出来る。仮に倒立円錐形外板の縁部や花材から水滴が滴り落ちることがあっても、従来の幹足付受筒と比較すると、中心近くに花材ホルダーが位置しているので、花器の口の中に入りやすくなっている。このように、本考案の花材挿器によれば、給水時に周囲の床等に水をこぼしてしまう虞を減少させることが可能である。
【００１４】
また、本考案によれば、花材ホルダーが主管の周囲に配設されているため、部材の向きを調整することなく、各方向に花材を配置することが出来る。また、花材ホルダーが中央の主管の周囲部分に位置するため、枝分かれを思わせるような自然な花材の配置を容易に行うことが出来る。さらに、本考案によれば、花材挿器が生花の中央部にまとまっていて部材が周囲に突出しないため、花材を適宜前方に配置するだけで花材挿器を容易に隠蔽することが出来るので生花の姿形に制約が少なく、花材を自由に配置することができる。
【００１５】
さらに、本考案によれば、花材ホルダーが中心付近に位置しており、花材が大形になって重量が増した場合にも、受筒が幹足の脇に取付けられた従来の幹足付受筒と比較すると、部材及び花材が中央寄りに集まるため、生花を転倒させようとするモーメントが小さいので比較的バランスを取りやすく、生花作品を構成しやすい。また、従来の幹足付受筒のように部材の位置を調整することなく、花材の配置の調整によって重量バランスを取ることが可能である。
【００１６】
また、本考案の花材挿器において、「前記主管の底部に、下方に延びる棒状を呈する基軸棒を具備する」構成を採用してもよい。
【００１７】
これによれば、本考案の花材挿器の底部に下方に延びる基軸棒が備わることで、花器の内部に詰めた砂利等に基軸棒を挿したり、既成の幹足付受筒用のスタンドに装着して花材挿器を立設することが可能となる。
【００１８】
一方、本考案の花材挿器セットは、「長手方向を略鉛直方向に向けた、底部が封じられたパイプ状を呈する第一主管、
該第一主管の上端部に形成された開口部、
前記第一主管の軸と同心で前記第一主管の周囲に形成され、漏斗状の形状を呈する第一倒立円錐形外板、
前記第一主管と前記第一倒立円錐形外板との空隙に配設され、該空隙に挿入された花材を支持することが可能な第一花材ホルダー、
及び、前記第一主管の底部に着設され、下方に延びる棒状を呈する基軸棒を具備する主花材挿器と、
長手方向を略鉛直方向に向けた、底部が封じられたパイプ状を呈する第二主管、
該第二主管の軸と同心で前記第二主管の周囲に形成され、漏斗状の形状を呈する第二倒立円錐形外板、
前記第二主管と前記第二倒立円錐形外板との空隙に配設され、該空隙に挿入された花材を支持することが可能な第二花材ホルダー、
及び、前記主花材挿器の前記開口部に嵌合する形状で前記第二主管の下端部に形成された嵌入部を備える副花材挿器と
を具備する」ものである。
【００１９】
これによれば、第一花材ホルダー及び第二花材ホルダーという、上下２段の花材ホルダーを備える花材挿器セットが構成される。花材ホルダーが上下２段となるため、高低差がある花材の配置が容易に可能となる。花材挿器セットの前方に花材を配して花材挿器を視覚的に隠蔽する際にも、上下２段の花材ホルダーに挿入した花材を組み合わせ、高低差を利用して前面の花材の構成を行うことが出来るため、生花作品の意匠の自由度を高めることが可能となる。
【００２０】
また、生花に給水する際には、上方に位置する副花材挿器の第二主管に注水して水を溢れさせれば、流れ落ちた水は主管の外面を伝わって第二花材ホルダーに流入する。さらに第二花材ホルダーからも溢れると、第二倒立円錐形外板の外面を伝わって水が流れ落ち、第一花材ホルダーに流れ込む。このように、上下の両方の花材挿器に対して簡単に給水を行うことが可能である。花器に直接挿された花材がある場合には、さらに注水して第一花材ホルダーからも水を溢れさせて、花器に水が流れ落ちるようにすることも出来る。
【００２１】
また、主花材挿器と副花材挿器の２個の部品から構成されるため、運搬時や収納時には主花材挿器と副花材挿器とに分割することが可能となり、省スペース化を図り利便性を向上させることができる。さらに、花材が各部に挿入され、生花作品として構成された状態であっても、主花材挿器と副花材挿器とを分離することが可能であるため、生花作品を制作した後に、そのまま分割して運搬したり、分割した状態で保管することも可能である。
【００２２】
また、本考案の花材挿器セットでは、「前記主花材挿器における前記基軸棒は、前記第一主管の底部に着脱可能に螺合され、
前記主花材挿器から前記基軸棒を取外した形状と、前記副花材挿器の形状とが互いに同一である」構成を採用してもよい。
【００２３】
これによれば、主花材挿器と副花材挿器とは互いに同一の形状をもつ部品であり、組み合わせの制約が小さくなるので、組立てや収納が容易となる。例えば、主花材挿器と副花材挿器とが異なる形状で区別が必要な場合には、主花材挿器と副花材挿器とは１対の組をなすため、１組としてまとめて保管するか、各部品を区別して保管する必要がある。それに対し、主花材挿器と副花材挿器とが同一形状の部品であると、多数組の花材挿器セットの部品を相互に区別することなく全てまとめて保管することが可能となる。また、主花材挿器と副花材挿器とが何れも同一形状の部品として製造可能であるため、生産性を向上し、製造コストを抑制する効果が期待できる。販売時にも、部品を区別することなく単体で販売することが出来るため、流通コストの抑制も可能となる。
【００２４】
また、この構成によれば、基軸棒が着脱可能となるため、運搬時など、主管の底部から延びた基軸棒が邪魔になる場合には取り外すことが出来る。基軸棒を取り外すことで、基軸棒の先端で負傷したり、他の物品に損傷を与える虞が減少し、安全性を高めることが可能である。
【考案の効果】
【００２５】
このように、本考案の花材挿器では、主管の周囲に花材ホルダーを配設することによって組立の手間を省き、生花の準備が容易となる。さらに、水こぼれや作品の転倒の虞を減少させることが出来る。また、本考案の花材挿器は、主管の脇に受筒が突出することがないため、容易に花材の配置によって花材挿器を隠蔽することができ、且つ、主となる花材の周囲から枝分かれしたように花材を自然な位置関係で配することが可能となる。
【考案を実施するための最良の形態】
【００２６】
以下、本実施形態の生花用花材挿器セットについて、図１乃至図６に基き説明する。図１は花材挿器セットの構成を示す斜視図である。図２は花材挿器セットを花器に設置した状態を示す斜視図である。図３は花材挿器セットを分解して構成を示す分解斜視図である。図４は花材挿器セットの構成を示す断面図である。図５は花材挿器セットから水が溢れた場合を示す説明図である。図６は花材挿器セットの使用状態を示す斜視図であり、（ａ）は生花作品を構成している途中を示し、（ｂ）は生花作品の完成状態を示している。
【００２７】
図１に示すように、本実施形態の花材挿器セット１は、１対の花材挿器２を上下に組み合わせて嵌合し、下部に基軸棒１０を着設した構成となっている。１対の花材挿器２は互いに同形であり、上下を入れ替えて構成することも可能である。本実施形態の花材挿器セット１の材質は、水を注入することに関連した耐久性の問題、成形性の問題、及び伝統的に生花用具に利用されている素材の問題を勘案し、真鍮製の基軸棒１０以外はすべて銅を使用している。花材挿器２は、長手方向を略鉛直方向に向けた、円筒形のパイプ状の主管３と、主管３の上端に形成された開口部４と、主管３の下端部に形成された嵌入部５と、主管３の底部に穿設されたねじ孔６（図４参照）と、主管３の軸と同心で周囲に着接された漏斗状の形状を有する倒立円錐形外板７と、主管３と倒立円錐形外板７との間に配設された花材ホルダー８とを具備し、主管３の外面と倒立円錐形外板７の内面との間に、花材ホルダー８によって仕切られて、花材を受容する花材受入部９が形成されている。
【００２８】
以下、図１、図３、及び図４に基き詳細に説明する。主管３は円筒形のパイプ状の形状であり、内部は嵌入部５と連通している。主管３の上端には開口部４が形成されていて開放されているが、嵌入部５の底部は塞がれている。嵌入部５は主管３より細い円筒形の形状に形成されている。嵌入部５の内部には底面に接して中実な箇所が設けられており、花材挿器２の底部側からねじ孔６が螺刻されている。嵌入部５の外径は主管３の上部に形成された開口部４の内径とほぼ等しく、花材挿器２を一対用いると、嵌入部５は他の花材挿器２の開口部４と嵌合する。また、嵌入部５の上端付近に突起１２が形成されており、主管３の上端には突起１２に対応する形状の切欠部１３が形成されている。嵌入部５を他の花材挿器２の開口部４に挿入した時に、突起１２と切欠部１３とを合わせると２個の花材挿器２が別々に回転することを防ぎ、花材を挿したときに上下の花材挿器２がずれてしまって生花の姿が乱れることを防ぐことが出来る。これにより、二個の花材挿器２を上下に組み合わせて、下に位置する花材挿器２を主花材挿器３１、上に位置する花材挿器２を副花材挿器３２として花材挿器セット１とすることが出来る。
【００２９】
主管３の略中央部周囲には、円錐形を倒立させた漏斗状の形状を呈する倒立円錐形外板７が着接されている、倒立円錐形外板７の下端は主管３にロウ付けされており、水密状態となっている。一方、倒立円錐形外板７の上端は開放されており、その内部には、主管３と倒立円錐形外板７との空隙に花材ホルダー８が配設されている。花材ホルダー８は、主管３の周囲に板材を平面視井形に配した形状の部材であり、主管３の外面と倒立円錐形外板７の内面とに着接されている。花材ホルダー８は高さ方向において倒立円錐形外板７よりも小さく、倒立円錐形外板７の開口部付近に着設されている。倒立円錐形外板７の内側は花材ホルダー８によって仕切られて花材受入部９が形成されている。本実施形態では花材受入部９は、主管３の周囲に８箇所配置されており、何れも花材を受容することが可能である。また、倒立円錐形外板７の内部には水Ｗを注入して溜めておくことができる。
【００３０】
先細になった棒状の基軸棒１０の上部には、ねじ部１１が形成されており、ねじ部１１は、花材挿器２の底部に螺刻されたねじ孔６に螺合し、花材挿器２の底部に基軸棒１０が装着される。基軸棒１０は花材挿器２の底部から下方へと延び、幹足付受筒用のスタンド等の支持具を利用して固定することが可能である。また、先細になった棒状であるため、花器に詰めた砂利等に挿すことも可能である。支持具や砂利などを利用して基軸棒１０を花器の内部に固定し、先述のように、１対の花材挿器２を上下に組み合わせた状態の花材挿器セット１として立設することが出来る。
【００３１】
以下、本実施形態の使用状況の例及び作用について、図１乃至図６に基き説明する。まず、花材挿器セット１を使用して生花作品を制作する時には、１対の花材挿器２及び基軸棒１０を、先述のように組み合わせて花材挿器セット１として形成する（図１）。花器Ｖの内部には支持具Ｓを設置し、基軸棒１０を支持具に固定して花材挿器セット１を立設する（図２及び図５参照）。本例では、一部の花材を、花材挿器セット１の花材ホルダー８ではなく、花器Ｖの内部に直接挿すため、支持具Ｓは、花材を支持可能な剣山を装備したものを使用する。
【００３２】
花材ホルダー８及び花器Ｖに主要な花材から順に適宜挿入し、必要に応じて花材を加工したりして花材の形状や向きなど視覚的構成を調整し、全体構成を決定する（図６（ａ）参照）。花材ホルダー８は主管３の周囲を囲むように配設されているので、花材を挿す位置は自由であり、必要に応じて花材を挿す位置を選択可能である。さらに、構想を変更した場合など、作品制作の途上で位置関係の調整が必要になった場合にも、花材挿器セット１は部材の移動や調整等を行う必要はなく、調整が必要な花材を移動したり加工したりするだけでよい。同様に、ためのきく花材であっても、ためのきかない花材であっても、花材の性質に合わせて花材挿器セット１を調整する必要はなく、花材を挿入する箇所や、花材に対する加工によって対応するだけでよい。このように、花材挿器セット１は、受筒の位置等の調整が不要でありながら花材を挿す位置は自由に選択できるので、使用者が生花本来の技巧に集中することが出来る。
【００３３】
全体構成が決定した後、比較的小さな花材を挿してゆき、花材挿器セット１が目立たなくなるように隠蔽すると、中央の部分から自然に枝分かれしたような美麗な全体形状をもった豪華な生花を構成することが出来る。また、見る角度によって、主花材挿器２又は副花材挿器２の一部が見える状態であったとしても、花材挿器２は何れも、伝統的に花器等に利用されている銅で出来ているため、生花作品の一部として違和感なく調和を保つことが出来る。
【００３４】
さて、生花作品に給水する場合について、図５に基き説明する。花材挿器セット１の上部の開口部４に注水され、第二主管３ａの内部に水Ｗが一杯に充填されて溢れると、溢れた水Ｗは第二主管３ａの外面を伝わって、第二倒立円錐形外板７ａで囲われた内部に流入する。ここで、第二主管３ａに対して注水を続けてもよいし、第二倒立円錐形外板７ａの内側に注水してもよい。第二倒立円錐形外板７ａの内側に注水し、同様に第二倒立円錐形外板７ａの内部が一杯になって水Ｗが溢れると、溢れた水Ｗは第二倒立円錐形外板７ａの外面を伝わって流れ落ち、さらに第二主管３ａ、及び第一主管３ｂの外面を伝わって下方に位置する第一倒立円錐形外板７ｂの中に流入する。第一倒立円錐形外板７ｂの内部が一杯になって水Ｗが溢れると、やはり同様に溢れた水Ｗは第一倒立円錐形外板７ｂの外面を伝わって流下し、第一主管３ｂの外面を伝わって花器Ｖの中へと流入する。
【００３５】
このように、本実施形態によれば、給水時に第二主管３ａ、第二倒立円錐形外板７ａ、又は第一倒立円錐形外板７ｂの上縁部を超えて水Ｗが溢れてしまった場合にも、床等に水Ｗがこぼれる虞が小さくなっている。さらに、注水が容易な花材の構成であれば必要な箇所に注水を行えばよいが、花材の構成上、注水が困難な箇所がある場合にも、上方の第二主管３ａ又は第二倒立円錐形外板７ａに注水し、溢れさせて流下させれば、下方の第一倒立円錐形外板７ｂの中、すなわち第一花材ホルダー（図示しない）の中に給水することが可能となる。
【００３６】
主管３及び花材ホルダー８に挿した花材は、比較的高所に位置しながらも、花器Ｖの中から高所まで水を吸い上げる必要がなく、茎も短いため、水の吸い上げがよく、花持ちがよい。
【００３７】
ところで、生花作品を廃棄する時には、花材挿器セット１を清掃し、片付ける必要がある。本実施形態では、花材を除去した後、一対の花材挿器２と基軸棒１０とに３分割し、部品ごとに水洗いすることが出来る。基軸棒１０は真鍮であり、花材挿器２は全体が銅で出来ているので、花材の挿入等で表面に細かな傷がついた場合にも、鉄などと異なり、水洗いによる腐食等の心配がないので、洗浄後に布等で乾拭きして気中で乾燥させるだけで、特別な注意をする必要はない。また、花材挿器２は二個とも同形であるため、例えば複数組の花材挿器セット１を収納する際には、全ての花材挿器２をまとめて収納して保管することも可能である。基軸棒１０が取り外し可能なため、運搬時など、基軸棒１０が邪魔になる時には取り外して扱い易くすることができる。また、洗浄や収納の時に基軸棒１０の尖端で人体や他の物品を傷つける虞が小さく、安全になっている。
【００３８】
以上、本考案について好適な実施形態を挙げて説明したが、本考案はこれらの実施形態に限定されるものではなく、以下に示すように、本考案の要旨を逸脱しない範囲において、種々の改良及び設計の変更が可能である。
【００３９】
すなわち、上記実施形態では、花材挿器２を二個上下に重ねた花材挿器セット１を示したが、三個以上の花材挿器２を重ねて花材ホルダー８の多段化や花材受入部９の多数化を図ってもよいし、花材挿器２を一個のみ使用し、高さを抑えた構成としてもよい。
【００４０】
また、上記実施形態では、花材ホルダー８が板材を井形に組み合わせた形状である例を示したが、これに限らず、例えば波板状の板材を撓ませて形成した部材を花材ホルダー８として主管３と倒立円錐形外板７の間に配設するようにしてもよい。また、板材に限らず、鋳物や切削等で形成された花材ホルダー８であってもよい。
【００４１】
また、上記実施形態では、素材には銅を用いる例を示したが、他の金属を用いて形成してもよい。例えばステンレス鋼やアルミニウムであってもよい。また、プラスティックの成形品であってもよい。樹脂や金属で表面を保護した紙類や繊維質を素材としてもよい。
【００４２】
さらに、上記実施形態では、２個の互いに同型の花材挿器２を上下に重ねた構成の例を示したが、２個の花材挿器２が互いに同型でなくてもよい。例えば、上段の花材挿器が下段の花材挿器よりも小さいものであってもよいし、上段と下段とで花材ホルダー８の形状が異なるものであってもよい。
【図面の簡単な説明】
【００４３】
【図１】花材挿器セットの構成を示す斜視図である。
【図２】花材挿器セットの使用状態を示す斜視図である。
【図３】花材挿器セットの構成を示す分解斜視図である。
【図４】花材挿器セットの構成を示す断面図である。
【図５】花材挿器セットの使用状態を示す説明図である。
【図６】花材挿器セットの使用状態を示す斜視図である。
【図７】従来の幹足付受筒を示す斜視図である。
【符号の説明】
【００４４】
１  花材挿器セット
２  花材挿器
３  主管
３ａ  第二主管
３ｂ  第一主管
４  開口部
５  嵌入部
７  倒立円錐形外板
７ａ  第二倒立円錐形外板
７ｂ  第一倒立円錐形外板
８  花材ホルダー
１０  基軸棒
３１  主花材挿器
３２  副花材挿器
【図１】
0003126449.tif 000003
【図２】
0003126449.tif 000004
【図３】
0003126449.tif 000005
【図４】
0003126449.tif 000006
【図５】
0003126449.tif 000007
【図６】
0003126449.tif 000008
【図７】
0003126449.tif 000009